(57)【要約】【課題】角度調整が容易で強度の向上が図れるようにした手摺の支持構造を提供すること。【解決手段】支柱２の下端部に固定される回動体１０は、支柱が挿入可能な挿入穴１１が設けられ、中心部の水平方向に軸孔１２が貫通されると共に、軸孔の同心円上及び下方に渡って凹部１３が形成される。設置面に固定される支持体２０は、ベース部２１の上面に起立する固定部２２を具備し、固定部には、回動体の凹部に嵌合されると共に、中心部には軸挿通孔２３が穿設される凸部２４が形成される。回動体の凹部には、開口側に向かって漸次拡開する拡開テーパ面１３ｃが形成され、支持体の凸部には、凹部の拡開テーパ面が摺動自在に接触する狭小テーパ面２４ｃが形成される。回動体の凹部と支持体の凸部とを嵌合した状態で、回動体の軸孔と支持体の軸挿通孔を貫通する連結ボルト３１の突出部に連結ナット３２を螺合して回動体と支持体とを回動可能に連結して固定する。【選択図】図３
2010189964.tif 000002
【特許請求の範囲】
【請求項１】
手摺を支持する支柱を設置面に角度調整可能に固定する手摺の支持構造であって、
上記支柱の下端部に固定される回動体と、設置面に固定されると共に、上記回動体を回動可能に支持する支持体と、上記回動体と支持体とを回動可能に連結するボルトとナットとからなる連結部材と、を具備し、
上記回動体は、上端部に上記支柱が挿入可能な挿入穴が設けられ、中心部の水平方向に軸孔が貫通されると共に、上記軸孔の同心円上及び下方に渡って凹部が形成され、
上記支持体は、設置面に固定されるベース部と、このベース部の上面に起立する固定部とを具備し、上記固定部には、上記回動体の凹部に嵌合されると共に、中心部には軸挿通孔が穿設される凸部が形成され、
上記回動体の凹部は、開口側に向かって漸次拡開する拡開テーパ面が形成され、
上記支持体の凸部は、上記凹部の上記拡開テーパ面が摺動自在に接触する狭小テーパ面が形成され、
上記回動体の凹部と上記支持体の凸部とを嵌合した状態で、上記回動体の軸孔と上記支持体の軸挿通孔を貫通する上記連結部材のボルトの突出部に上記ナットを螺合して回動体と支持体とを固定する、
ことを特徴とする手摺の支持構造。
【請求項２】
請求項１記載の手摺の支持構造において、
上記回動体は、上記挿入穴を構成する半円状の穴部と上記凹部及び軸孔を有する一対の回動半体からなり、各回動半体には、両回動半体を貫通して固定する固定ボルトとナットの収容凹所が設けられている、ことを特徴とする手摺の支持構造。
【請求項３】
請求項１又は２記載の手摺の支持構造において、
上記回動体の下端部には、該回動体の回動方向に沿って連続する複数の凹凸部が形成され、
上記支持体における上記回動体の回動方向と直交する部分には、位置固定ナットを回転不能に係止する係止凹所を有するボルト挿通溝が形成され、
上記係止凹所内に係止された上記位置固定ナットに螺合される位置固定ボルトの先端を上記凹凸部に押圧して固定する、ことを特徴とする手摺の支持構造。
【請求項４】
請求項１ないし３のいずれかに記載の手摺の支持構造において、
上記回動体を略球形状に形成し、上記支持体の固定部には、上記回動体の球面に対応した球面受け部を設けると共に、固定部の外側を、上記回動体の球面に連なる球面状に形成してなる、ことを特徴とする手摺の支持構造。
【発明の詳細な説明】
【技術分野】
【０００１】
この発明は、手摺を支持する支柱を設置面に角度調整可能に固定する手摺の支持構造に関するものである。
【背景技術】
【０００２】
近年、玄関先にアプローチ手摺を設けることが多く行われている。このような場所は、階段又はスロープになっており、スロープにおいて手摺を設置する設置面であるコンクリート面は傾斜状に形成されている。
【０００３】
コンクリート面を形成する際に手摺も同時に施工する場合は、手摺支柱の下端部の根元部分を埋設状に固定することが多いが、コンクリートが硬化するまでに支柱の角度がずれ内容に細心の注意を要する手間のかかる作業となる。
【０００４】
また、手摺を後付する場合は、支柱の下端部にブラケットを設けてアンカーボルトで固定することとなるため、角度調整可能なブラケットが必要である。
【０００５】
従来、角度調整可能な手摺として、側面視円弧状の位置決め部を備える位置決め部材に、円弧状の凹曲面を有する回動部を備えた回動部材を被せ、中心を貫通する軸芯にて回動可能に取り付け、回動部材に摺動可能に取り付けられる摺動子に螺合する固定部材を位置決め部材に設けられた複数の受容部に当接して角度調整可能に固定する構造のものが知られている（例えば、特許文献１参照）。
【０００６】
また、別の手摺の支持構造として、設置面に固定される定着部材と、定着部材の上で揺動及び固定される可動部材とで構成され、可動部材は、その全体が揺動する際の軸となる揺動軸をその下端に備え、揺動軸を挟んで略対照的に翼状に延出する一対の調整片を備え、調整片の各々に傾斜調整ボルトが挿通する透孔を備えると共に、透孔の上縁部に傾斜調整ボルトと螺合する規制部材により圧せられる座部を備え、定着部材は、可動部材の揺動軸を受ける軸受け部を備えると共に、傾斜調整ボルトを回転不能にその先端が上向きとなるように備え、軸受け部の軸受けが揺動軸の側面に略外接する多角形状の内縁を有した凹状の支持条又は支持面で構成されている傾斜調整取付構造が知られている（例えば、特許文献２参照）。
【先行技術文献】
【特許文献】
【０００７】
【特許文献１】特許第３８１３５４５号公報（特許請求の範囲、図２〜図５）
【特許文献２】特開２００８−１９６２３５号公報（特許請求の範囲、図１）
【発明の概要】
【発明が解決しようとする課題】
【０００８】
しかしながら、特許文献１に記載のものにおいては、設置面に固定される位置決め部材に、回動部材を被せて軸芯にて回動可能に取り付け、回動部材に取り付けられる摺動子に螺合する固定部材を位置決め部材に設けられた複数の受容部に当接して固定する構造であるため、傾斜角の調整が面倒な上、位置決め部材と回動部材の固定部の強度が十分でなく、手摺に過度の荷重がかかった場合に手摺が傾く懸念があった。
【０００９】
また、特許文献２に記載のものにおいては、可動部材に設けられた一対の調整片の各々に傾斜調整ボルトを挿通し、傾斜調整ボルトと螺合する規制部材により固定するため、特許文献１に記載のものに比べて固定部の強度を高めることができるが、２箇所の傾斜調整ボルトに規制部材を螺合して固定するため、傾斜角度の調整作業が面倒であると共に、取付作業に手間がかかるという問題がある。
【００１０】
また、特許文献１及び２に記載のものは、いずれも固定手段である固定部材や傾斜調整ボルト及び規制部材は、固定のみを目的としており、外観の美観は考慮されておらず、外部に突出する固定部材や傾斜調整ボルト及び規制部材等を目隠しするためにはカバーが必要となる。
【００１１】
この発明は、上記事情に鑑みてなされたもので、角度調整が容易で強度の向上が図れるようにした手摺の支持構造を提供することを目的とする。
【課題を解決するための手段】
【００１２】
上記課題を解決するため、請求項１記載の発明は、手摺を支持する支柱を設置面に角度調整可能に固定する手摺の支持構造であって、  上記支柱の下端部に固定される回動体と、設置面に固定されると共に、上記回動体を回動可能に支持する支持体と、上記回動体と支持体とを回動可能に連結するボルトとナットとからなる連結部材と、を具備し、  上記回動体は、上端部に上記支柱が挿入可能な挿入穴が設けられ、中心部の水平方向に軸孔が貫通されると共に、上記軸孔の同心円上及び下方に渡って凹部が形成され、  上記支持体は、設置面に固定されるベース部と、このベース部の上面に起立する固定部とを具備し、上記固定部には、上記回動体の凹部に嵌合されると共に、中心部には軸挿通孔が穿設される凸部が形成され、  上記回動体の凹部は、開口側に向かって漸次拡開する拡開テーパ面が形成され、  上記支持体の凸部は、上記凹部の上記拡開テーパ面が摺動自在に接触する狭小テーパ面が形成され、  上記回動体の凹部と上記支持体の凸部とを嵌合した状態で、上記回動体の軸孔と上記支持体の軸挿通孔を貫通する上記連結部材のボルトの突出部に上記ナットを螺合して回動体と支持体とを固定する、ことを特徴とする。この場合、上記回動体を、上記挿入穴を構成する半円状の穴部と上記凹部及び軸孔を有する一対の回動半体にて形成し、各回動半体には、両回動半体を貫通して固定する固定ボルトとナットの収容凹所を設ける方が好ましい（請求項２）。
【００１３】
このように構成することにより、支柱の下端部に固定される回動体に設けられた拡開テーパ面を有する凹部と、設置面に固定される支持体に設けられた狭小テーパ面を有する凸部とを摺動接触可能に嵌合して支柱の傾斜角度を調整することができ、角度調整した状態で回動体の軸孔と支持体の軸挿通孔を貫通する連結部材のボルトの突出部にナットを螺合して回動体と支持体とを固定することで、凹部と凸部の摩擦接触によって回動体と支持体とを強固に固定することができる。この場合、上記回動体を、上記挿入穴を構成する半円状の穴部と上記凹部及び軸孔を有する一対の回動半体にて形成し、各回動半体には、両回動半体を貫通して固定する固定ボルトとナットの収容凹所を設けることにより、支柱への回動体の取付作業を容易にすることができると共に、固定ボルトとナットの外部への露出をなくすことができる（請求項２）。
【００１４】
請求項３記載の発明は、請求項１又は２記載の手摺の支持構造において、  上記回動体の下端部には、該回動体の回動方向に沿って連続する複数の凹凸部が形成され、  上記支持体における上記回動体の回動方向と直交する部分には、位置固定ナットを回転不能に係止する係止凹所を有するボルト挿通溝が形成され、  上記係止凹所内に係止された上記位置固定ナットに螺合される位置固定ボルトの先端を上記凹凸部に押圧して固定する、ことを特徴とする。
【００１５】
このように構成することにより、支持体に設けられたボルト挿通溝の係止凹所内に係止された固定ナットに螺合される固定ボルトの先端を、回動体に設けられた凹凸部に押圧して固定することができ、連結部材によって固定される回動体と支持体の固定を更に強固にすることができる。
【００１６】
請求項４記載の発明は、請求項１ないし３のいずれかに記載の手摺の支持構造において、上記回動体を略球形状に形成し、上記支持体の固定部には、上記回動体の球面に対応した球面受け部を設けると共に、固定部の外側を、上記回動体の球面に連なる球面状に形成してなる、ことを特徴とする。
【００１７】
このように構成することにより、支柱の傾斜角度に関係なく、回動体と支持体との隙間を少なくすることができると共に、回動体と支持体とに段差がなく回動体と支持体とを略球形状に形成することができる。
【発明の効果】
【００１８】
この発明によれば、上記のように構成されているので、以下のような優れた効果が得られる。
【００１９】
（１）請求項１記載の発明によれば、回動体に設けられた拡開テーパ面を有する凹部と、支持体に設けられた狭小テーパ面を有する凸部とを摺動接触可能に嵌合して固定するので、手摺の支柱の角度調整を容易にすることができる。また、凹部と凸部の摩擦接触によって回動体と支持体とを固定することにより、強度の向上が図れる。
【００２０】
（２）請求項２記載の発明によれば、支柱への回動体の取付作業を容易にすることができると共に、固定ボルトとナットの外部への露出をなくすことができるので、上記（１）に加えて更に美観の向上が図れる。
【００２１】
（３）請求項３記載の発明によれば、支持体に設けられたボルト挿通溝の係止凹所内に係止された固定ナットに螺合される固定ボルトの先端を、回動体に設けられた凹凸部に押圧して固定することができるので、上記（１），（２）に加えて更に回動体と支持体の固定を強固にすることができ、手摺に過度の荷重が加わっても手摺の変形を防止することができる。
【００２２】
（４）請求項４記載の発明によれば、支柱の傾斜角度に関係なく、回動体と支持体との隙間を少なくすることができると共に、回動体と支持体とを略球形状に形成することができるので、上記（１）〜（３）に加えて、更に支持部の美観の向上を図ることができる。
【図面の簡単な説明】
【００２３】
【図１】この発明に係る手摺の支持構造の一例を示す側面図である。
【図２】この発明に係る手摺の支持構造の要部を示す側面図である。
【図３】上記手摺の支持構造の横断面図である。
【図４】図３のＩ−Ｉ線に沿う断面図である。
【図５】傾斜状態の一部を断面で示す側面図である。
【図６】上記手摺の支持構造の要部を示す斜視図である。
【図７】この発明における回動体、支持体、連結部材及び固定部材を示す分解斜視図である。
【図８】この発明における支柱に固定された回動体を支持体に取り付ける状態を示す分解斜視図である。
【発明を実施するための形態】
【００２４】
以下に、この発明に係る手摺の支持構造の実施形態を添付図面に基づいて詳細に説明する。
【００２５】
この発明に係る支持構造を有する手摺は、図１ないし図６に示すように、例えば、玄関先のアプローチの設置面１に固定される支持体２０と、支柱２の下端部に固定される回動体１０と、回動体１０と支持体２０とを回動可能に連結する連結ボルト３１と連結ナット３２とからなる連結部材３０と、支柱２の上端部に固定される手摺用ブラケット３によって支持される屈曲変形可能な手摺体４と、を具備している。なお、支持体２０と回動体１０の固定部にはカバー５が被着されている。
【００２６】
上記回動体１０は略球形状に形成されており、上端部に支柱２が挿入可能な挿入穴１１が設けられ、中心部の水平方向に軸孔１２が貫通されると共に、軸孔１２の同心円上及び下方に渡って凹部１３が形成されている。凹部１３は、軸孔１２と同心円となる円形凹部１３ａと、この円形凹部１３ａの下端に連なる直状凹部１３ｂとからなる。なお、円形凹部１３ａには、開口側に向かって漸次拡開する拡開テーパ面１３ｃが形成されている。
【００２７】
また、回動体１０は、挿入穴１１を構成する半円状の穴部１１ａと凹部１３及び軸孔１２を有する一対のアルミニウムダイキャスト製の回動半体１０ａ，１０ｂからなり、固定ボルト１４と袋ナット１５とによって固定されている。この場合、各回動半体１０ａ，１０ｂには、両回動半体１０ａ，１０ｂを固定する固定ボルト１４の貫通孔１６が左右２箇所に設けられており、各貫通孔１６の開口部には、固定ボルト１４の頭部１４ａと袋ナット１５が収容可能な収容凹所１７ａ，１７ｂが設けられている。すなわち、図３に示すように、一方の回動半体１０ａには、固定ボルト１４を挿通する貫通孔１６と、この貫通孔１６の開口部側に固定ボルト１４の頭部１４ａを収容する収容凹所１７ａが設けられている。また、他方の回動半体１０ｂには、固定ボルト１４を挿通する貫通孔１６と、この貫通孔１６の開口部側に袋ナット１５を収容する収容凹所１７ｂが設けられている。なお、固定ボルト１４の頭部１４ａの先端には六角穴１４ｂが形成されている。
【００２８】
また、両回動半体１０ａ，１０ｂの下端部には、回動体１０の回動方向に沿って連続する複数の例えば鋸歯状の凹凸部１８が形成されている。なお、凹凸部１８の形状は必ずしも鋸歯状である必要はなく、複数の連続する凹凸状であれば任意の形状でよい。
【００２９】
一方、上記支持体２０は、設置面に固定されるベース部２１と、このベース部２１の上面に起立する固定部２２とを具備する一対のアルミニウムダイキャスト製部材にて形成されている。この場合、ベース部２１は半円形状に形成され、その両側には設置面１に螺入されるアンカーボルト６が挿通可能な挿通孔２１ａが穿設されている。
【００３０】
また、固定部２２には、回動体１０の凹部１３に嵌合されると共に、中心部には、連結ボルト３１が挿通可能な軸挿通孔２３が穿設される凸部２４が形成されている。なお、軸挿通孔２３の開口部には、連結ボルト３１の頭部３１ａを収容する収容凹部２５ａ又は連結ナット３２を収容する収容凹部２５ｂが形成されている。なお、連結ナット３２は袋ナットにて形成されている。
【００３１】
また凸部２４は、回動体１０の凹部１３の一部を形成する円形凹部１３ａに嵌合する円形凸部２４ａと、この円形凸部２４ａの下端に連なり、凹部１３の直状凹部１３ｂ内に隙間をおいて遊嵌される直状凸部２４ｂとからなる。直状凹部１３ｂと直状凸部２４ｂとの間に設けられた隙間によって、回動体１０の回動すなわち支柱２の傾斜が可能となる。なお、支柱２の傾斜角は例えば１５°以内に設定可能になっている。なお、円形凸部２４ａには、円形凹部１３ａの拡開テーパ面１３ｃが摺動自在に接触する狭小テーパ面２４ｃが形成されている。
【００３２】
また、支持体２０における回動体１０の回動方向と直交する部分には、位置固定ナット４０を回転不能に係止する係止凹所２６を有するボルト挿通溝２７が形成されている。この場合、係止凹所２６は矩形状に形成されており、この係止凹所２６内に回転不能に係止される位置固定ナット４０は矩形状に形成されている。このように形成される位置固定ナット４０に螺合される位置固定ボルト４１の先端を凹凸部１８に押圧することで、回動体１０と支持体２０とを固定する。なおこの場合、位置固定ボルト４１は先端に六角穴４１ａが設けられた押しねじにて形成されている。また、位置固定ナット４０と位置固定ボルト４１による固定は、回動体１０及び支持体２０の対向する２箇所で行われている。
【００３３】
また、支持体２０の固定部２２には、回動体１０の球面に対応した球面受け部２８が設けると共に、固定部２２の外側は、回動体１０の球面に連なる曲面状に形成されている。
【００３４】
上記のように形成された回動体１０の凹部１３における円形凹部１３ａと、支持体２０の凸部２４における円形凸部２４ａとを嵌合した状態で、回動体１０の軸孔１２と支持体２０の軸挿通孔２３及び支柱２の下端部に設けられた貫通孔２ａを貫通する連結ボルト３１の突出部に連結ナット３２を螺合して回動体１０と支持体２０とが固定される。この際、連結ボルト３１と連結ナット３２を緩く螺合した状態で、回動体１０を所定角度例えば１５度以内に回動させた後、連結ボルト３１と連結ナット３２を螺合して回動体１０と支持体２０とを固定する。この固定状態においては、円形凹部１３ａの拡開テーパ面１３ｃと、円形凸部２４ａの狭小テーパ面２４ｃとの摩擦接触によって回動体１０と支持体２０とが強固に連結（固定）される。
【００３５】
なお、カバー５は、例えばステンレス鋼製部材にて形成されており、上端に回動体１０が回動可能に接触する円形開口５ａを有する截頭円錐状のカバー本体５ｂの下端部に、支持体２０のベース部２１の外周縁に嵌合可能な円筒基部５ｃを形成してなる。
【００３６】
上記のように形成されるカバー５を回動体１０と支持体２０の固定部に被着することにより、回動体１０が回動され支柱２が傾斜された状態においても、回動体１０とカバー５の円形開口５ａとが接触しているので、回動体１０と支持体２０の固定部を外部から目隠しすることができる。
【００３７】
次に、手摺を設置する手順について説明する。まず、支柱２の下端部を回動体１０の挿入穴１１に嵌挿して固定する。回動体１０を固定するには、回動半体１０ａ，１０ｂの穴部１１ａに支柱２の下端部を挿入し、回動半体１０ａ，１０ｂに設けられた軸孔１２と支柱２に設けられた貫通孔２ａとを合致させた状態で、回動半体１０ａ，１０ｂに設けられた貫通孔１６に固定ボルト１４を挿通して突出部に袋ナット１５を螺合して、支柱２の下端部を回動半体１０ａ，１０ｂで挟持した状態で回動体１０を固定する（図８参照）。
【００３８】
上記のようにして支柱２の下端部に回動体１０を固定した後、一方の支持体２０のボルト挿通溝２７の係止凹所２６内に、位置固定ボルト４１を貫通状に螺合した位置固定ナット４０を係止した状態で、両支持体２０の凸部２４を回動体１０の凹部１３に嵌合すると共に、支持体２０の軸挿通孔２３と回動体１０の軸孔１２及び支柱２の貫通孔２ａに連結ボルト３１を挿通して突出部に連結ナット３２を緩く螺合、すなわち支持体２０に対して回動体１０が回動可能な状態にする。そして、回動体１０を回動して支柱２を所定角度傾けた状態で連結ボルト３１と連結ナット３２を強く螺合して回動体１０と支持体２０とを固定する。
【００３９】
回動体１０と支持体２０とを固定した後、位置固定ナット４０に螺合されている位置固定ボルト４１をねじ込んで位置固定ボルト４１の先端を回動体１０の下端部に設けられた凹凸部１８に押圧して固定する。
【００４０】
次に、支持体２０のベース部２１に設けられた挿通孔２３にアンカーボルト６を挿通し、アンカーボルト６を設置面１に螺入して支柱２を設置面１に固定する。その後、支柱２の上部側からカバー５を移動させて、カバー５の円筒基部５ｃをベース部２１の外周縁に嵌合して、回動体１０と支持体２０の固定部を外部から目隠しする。
【００４１】
なお、上記実施形態では、カバー５によって回動体１０と支持体２０の固定部を外部から目隠しする場合について説明したが、カバー５を用いずに回動体１０と支持体２０の固定部を外部に露呈してもよい。この場合においても、回動体１０と支持体２０とを略球形状に形成することができるので、手摺の支持部の美観の向上を図ることができる。
【符号の説明】
【００４２】
１  設置面
２  支柱
１０  回動体
１０ａ，１０ｂ  回動半体
１１  挿入穴
１１ａ  穴部
１２  軸孔
１３  凹部
１３ａ  円形凹部
１３ｃ  拡開テーパ面
１８  凹凸部
２０  支持体
２１  ベース部
２２  固定部
２３  軸挿通孔
２４  凸部
２４ａ  円形凸部
２４ｃ  狭小テーパ面
２６  係止凹所
２７  ボルト挿通溝
２８  球面受け部
３０  連結部材
３１  連結ボルト
３２  連結ナット
４０  位置固定ナット
４１  位置固定ボルト
【図１】
2010189964.tif 000003
【図２】
2010189964.tif 000004
【図３】
2010189964.tif 000005
【図４】
2010189964.tif 000006
【図５】
2010189964.tif 000007
【図６】
2010189964.tif 000008
【図７】
2010189964.tif 000009
【図８】
2010189964.tif 000010